(57)【特許請求の範囲】
【請求項１】
ケース本体と、回転駆動装置（モータ）及びギアで構成された駆動部と、電気回路を装備した基板部と、ステープル（綴じ針）を収納する収納フレーム部と、該収納フレーム部に収納されたステープル（綴じ針）を上部から押圧し書類束等を貫通綴着させるアーム部とからなる電動ステープラにおいて、駆動部の回転駆動装置（モータ）を動作させる作動スイッチと、作動バーのクランクと連動するスライド部材と、前記作動スイッチと前記スライド部材とが設けられたスイッチベースとからなる固定スイッチ部をケース本体に固着するとともに、綴じる書類束等のストッパーとなるペーパガイドと、書類束等に押されてクランクを動作させるスライドパーツと、前記固定スイッチ部のスライド部材を押圧作動させるクランクとからなる作動バーを任意の位置に装備できるようにスイッチベースにスライド可能に装着したことを特徴とする電動ステープラ。
【請求項２】
前記電動ステープラは、何処でも使用できるように、独立駆動源としてバッテリーを装備するとともに、前記基板部に別途交流電源用のＡＣ電源コネクタとＡＣ−ＤＣ変換器を設けたことを特徴とする請求項１記載の電動ステープラ。
【請求項３】
前記電動ステープラは、収納フレーム内のステープル(綴じ針)の有無が外部から一目で簡単にわかるように、ステープル(綴じ針)が少なくなると点灯するＬＥＤ表示部を設けたことを特徴とする請求項１記載の電動ステープラ。
【発明の詳細な説明】
【０００１】
【発明の属する技術分野】
本発明は、書類等のシート束にステープル(綴じ針)で穿孔し、かしめて閉じることが可能な電動ステープラに関し、特に、移動可能な作動バーとスイッチ部をケース本体に固着設置した電動ステープラに関する。
【０００２】
【従来の技術】
従来、書類等のシート束をファイルするための道具としてステープラが多く使用されている。手動のステープラが多いが、シート束が厚いと力が必要となる。そこで、人力で綴じ器を押圧するのに替えて電動式のステープラが考案された。電動ステープラは電気の駆動力で自動的に綴じることが可能であるため便利に利用されている。典型的な電動ステープラの例としては、特開２０００−３１７８６１号で開示された技術がある。
【０００３】
開示されている電動ステープラは、打ち出しアームがモータの駆動で押圧部材の下方への移動に伴って収納フレームが自重で先端側を下方に移動し、綴じ対象物の上面に収納フレームの先端下面が押し当てられる構造である。吊下げ部材の引っ掛け部と支持部との間の寸法は、押圧部材を最下方へ移動する際に、収納フレームに納められた綴じ針が打ち出し口から押し出されるように、押圧部材の移動による打ち出しアームの先端側が下方へ移動できる寸法に形成されている。
【０００４】
また、収納フレームは、針収納部を備えたケースと、このケースの上面を覆うケースカバーとで構成されており、ケースカバーの長さ方向にある側壁とケースの長さ方向にある側面とを、お互いに嵌り合う長い溝と長い突部とからなるケースの組み付け部で、収納フレームの前端側からケースカバーからケースを引き出し、綴じ針の装填を可能にした構成である。
さらに、ベースと収納フレームの先端との間に差し入れられるつづり込み対象物の端部の当接によりモータの電気回路を閉成させるスイッチが、収納フレームの先端側から後端側に向けて移動操作可能に設けられる移動部材に備えてある構成でもある。
【０００５】
従前の電動ステープラは、作動させるためのスイッチ自体が先端部から後端部まで移動する構造である、固定されたスイッチに比べて長期に亘る使用に対する耐久性が悪く故障しやすいという欠点があった。また、吊下げ部材の引っ掛け部と支持部との間の寸法が、押圧部材の嵌入を許容する程度の寸法である必要がある為に、必然的にある程度の大きさとならざるを得なかった。
そこで、小型、軽量であり作動スイッチが壊れにくく、電池も交流電源も利用でき、かつ充電可能な電動ステープラの開発が待たれていた。
【０００６】
【発明が解決しようとする課題】
上記問題を解決するため、本発明に係る電動ステープラは、作動スイッチをケース本体に固定するとともに、固定スイッチ部と連動する作動バーを先端から後端まで移動可能にすることにより、従来の電動ステープラに比べて作動スイッチが壊れにくい電動ステープラを提供することを目的とする。また、これにより、小型、軽量で充電可能な構成でありかつ、ステープル(綴じ針)の有無をＬＥＤ表示で外部から一目でわかる電動ステープラを提供することを目的としている。
【０００７】
【課題を解決するための手段】
上記目的を達成するために本発明に係る電動ステープラは、ケース本体と、回転駆動装置（モータ）及びギアで構成された駆動部と、電気回路を装備した基板部と、ステープル（綴じ針）を収納する収納フレーム部と、該収納フレーム部に収納されたステープル（綴じ針）を上部から押圧し書類束等を貫通綴着させるアーム部とからなる電動ステープラにおいて、駆動部の回転駆動装置（モータ）を動作させる作動スイッチと、作動バーのクランクと連動するスライド部材と、前記作動スイッチと前記スライド部材とが設けられたスイッチベースとからなる固定スイッチ部をケース本体に固着するとともに、綴じる書類束等のストッパーとなるペーパガイドと、書類束等に押されてクランクを動作させるスライドパーツと、前記固定スイッチ部のスライド部材を押圧作動させるクランクとからなる作動バーを任意の位置に装備できるようにスイッチベースにスライド可能に装着した構成である。
【０００８】
また、前記電動ステープラは、何処でも使用できるように、独立駆動源としてバッテリーを装備するとともに、前記基板部に別途交流電源用のＡＣ電源コネクタとＡＣ−ＤＣ変換器を設けた構成でもある。さらに、前記電動ステープラは、収納フレーム内のステープル（綴じ針）の有無が外部から一目で簡単にわかるように、ステープル（綴じ針）が少なくなると点灯するＬＥＤ表示部を設けた構成でもある。
【０００９】
【作用】
本発明に係る電動ステープラは、作動スイッチの装備された固定スイッチ部がケース本体に固定されており、固定スイッチ部と連動する作動バーが先端から後端に移動可能な構造である。このため作動スイッチへの負担が少なくなり故障が起きにくくなる利点がある。また、小型で軽量な何処でも使用することが出来る製品を提供することが可能となる。
【００１０】
【発明の実施の形態】
以下に本発明に係る電動ステープラを図面に示す実施例により詳細に説明する。図１は本発明の電動ステープラの側面図であり、図２は本発明の電動ステープラのフレーム及び作動バーの分解斜視図であり、図３は内部フレームを取り出した側面図である。また、図４は電動ステープラの後端の側面図であり、図５は補充ボタンを押した際の後端の側面図である。
本発明にかかる電動ステープラ１０は、図１で示す通りケース本体２０と、駆動部３０と、基板部４０と、フレーム部５０と、アーム部６０と、作動バー７０と、固定スイッチ部８０とＬＥＤ表示部１００とからなる。
【００１１】
ケース本体２０は、駆動部３０と、基板部４０と、フレーム部５０と、アーム部６０と、作動バー７０と、固定スイッチ部８０等を収納する箱体であり、さらにバッテリー収納部（図示しない）を備えている。
【００１２】
駆動部３０は、基板部４０からの駆動源としての電力の供給により回転動作するモータ３１と、モータの回転軸に歯合するギア３２とギア３２に順次歯合するギア３３、３４、３５、３６とから構成されている。モータ３１は、交流用であっても直流用であってもよい。
モータを始動すると、歯合されているギアが順次駆動され回転運動は伝達されてギア３６を回動させる。ギア３６の両側面には、突起３６ａ、３６ａ’が突設されている。突起３６ａ，３６ａ’は、アーム部６０に設けられた半円形の係合円部６２の中に係合している。ギア３６を時計方向に回転させると、突起３６ａ，３６ａ’はアーム部６０の上面に当接し、アーム部の前方を下に押圧して綴じ動作となるアームの押し下げ作動をする。押し下げた状態からさらにギア３６を回転させると、突起３６ａ，３６ａ’は回転移動して係合円部６２の内壁に当接してアーム部６０を元の状態に持ち上げる作動をする。
【００１３】
基板部４０は、電動ステープラ１０を制御するためのＩＣやコンデンサ等を設置する平板部である。また、基板部４０にはＡＣ電源と接続するＡＣ電源接続部４２と、バッテリーと接続するバッテリー接続部４４とが設置されている。
【００１４】
収納フレーム部５０は、書類束等１２を綴じる際に使用される綴じ針（ステープル）１４を収容する箱体で、内部フレーム５２と、外部フレーム５４と、ステープルガイド部５６とからなる。
内部フレーム５２は、ステープルを収納する収納部であり、電動ステープラ１０の後端に設けられた補充ボタン１３０を押すことにより係合部５８が軸５９を回転中心として回動して係合部５８の先端に設けられた係止片を移動させて収納フレームの係合を解除する。これにより、内部フレームは長手方向前方に飛び出しステープル（綴じ針）１４の取出し補充等の作業が可能となる構造である。
外部フレーム５４は、内部フレーム５２を格納するための箱型枠体である。
【００１５】
ステープルガイド部５６は、内部フレーム部５２に収納されたステープル（綴じ針）１４をステープラの先端に押圧誘導するものであり、押圧のためのバネ体であるスプリング５６１と、移動体であるスライドプレート５６２と、ステープル（綴じ針）を前方に押す下向きコ字形のステープラガイド５６３と、シャフト５６４と、シャフトの後端でスイッチと接合するキャップ５６５とからなる。
【００１６】
スプリング５６１は、伸縮自在なバネ素材からなり、図２に示すように一端が長手方向後端に固着され、他端をフレームの先端に設けられた支柱まで伸ばしてから、支柱を半回転して折り返されてスライドプレート５６２に装着されている。これにより、スライドプレート５６２はステープラ１０の先端方向に押圧された状態となり、収納されたステープルを先端方向へ押圧移動することになる。
中央にはシャフト５６４が設置されておりスプリング５６１はシャフトに沿って長手方向に伸縮自在に装着されており、折り返して装着されているスライドプレート５６２の先に装着されるステープル（綴じ針）はステープラの先端方向に押圧されることになる。
【００１７】
アーム部６０は、ギア３６の突起３６ａと係合する半円形の係合円部６２と、先端に装備されているステープル（綴じ針）押し下げ用の平板状のドライバ６４とからなり、収納フレーム５０に収納されたステープル（綴じ針）の最先端に並んだ一つのステープル（綴じ針）をステープルの列から分離して圧力をかけて押し下げて書類等の端部を貫通して書類を綴着する動作を完成させる。係合円部６２は、約半円形に形成されており、ギア３６の突起３６ａ，３６ａ’の円運動に連動してアーム部６０を上下動させる。
【００１８】
ギア３６の回転運動をアームの上下動に変換する作動と装備は、従来から採用されているものと同一であり、ギアの両側面に突設されている突起３６ａ，３６ａ’がギアの回転とともにアーム部の上面に当接し、アーム部全体を下に押し下げる。さらに回転が進行すると、アーム部の先端に装着されているドライバ６４が最先のステープルを他のステープル列から分離させて綴じる対象である書類束１２を貫通し、書類の裏面に貫通して突き出たステープルの脚を内側に巻き込んでかしめることにより綴着させる。
書類を綴着させる作動が完了した後も突起３６ａ，３６ａ’は更に回転して、係合円部の円内を移動し、係合円部６２の内壁に当接する。これよりさらに回転すると突起は係合円部に装着されているアーム部６０を押し下げ前の元の位置に引き上げる。
【００１９】
作動バー７０は、長手方向前後に移動可能な構造で、書類束等の綴じ位置を決定するとともに、固定スイッチ部８０と連動して電動ステープラ１０を始動させる。作動バー７０は、綴じる書類束等のストッパーとなるペーパガイド７２と、挿入される書類束等に押されてクランク７６を押圧移動させるスライドパーツ７４と、該スライドパーツに係合していて固定スイッチ部８０のスライド部材８４を押圧作動させるクランク７６とからなる構成である。
【００２０】
固定スイッチ部８０は、電動ステープラの起動スイッチとなるものであり、作動スイッチ８２と、スライド部材８４と、スイッチベース８６とからなる。
作動スイッチ８２は、スイッチベース８６に固着されており、基板部４０から配線されている。綴着される書類束等の挿入方向先端でスライドパーツ７４を押すことにより、基板部４０に電流が流れ、駆動部３０が動作を開始し書類等をステープルで綴着することが可能となる。
スライド部材８４は、作動バー７０のクランク７６と係合しており、クランク７６をスライドパーツ７４のスライドにより回動させるとスライド部材８４が押圧されて作動スイッチ８２が開閉する構成である。
【００２１】
本発明の電動ステープラの動作を図面により詳細に説明する。まず、作動バー７０を側面に設けられた突起７１をつまんで前後に動かして書類束の綴じる位置を決定する。作動バー７０の位置を決定してから、綴着する書類束を図面の右側から電動ステープラのスリットに嵌装させて押し込む。挿入した書類束の先端が作動バー７０のスライドパーツ７４に当接して押圧移動する。図２に示すようにスライドパーツ７４に回動自在に係合しているクランク７６の一端が連動して水平方向に回転し、他端がスライド部材８４の背を図面右手前方向に移動する。これにより固定スイッチ部８０のスライド部材８４は押圧されて作動スイッチ８２を押圧する。押圧された作動スイッチ８２により基板部４０に電力が供給され駆動部３０が動作する。
【００２２】
駆動部３０の回転駆動装置（モータ）３１が動作して駆動軸を回転させることにより、歯合しているギア３２、３３、３４、３５、３６が順次動作する。ギア３６には突起３６ａが設置されており、突起３６ａの円運動によりアーム部６０を押圧する。アーム部６０の上面には半円形の係合円部６２が装着されており、突起３６ａと係合している。突起３６ａ，３６ａ’はギア３６の側面に突設されており、ギアの回転運動により円の軌跡を移動する。ギア３６の下方に突起３６ａが移動する際にアーム部６０の上面に当接してアームを押圧降下させる。アーム部６０の降下により、収納フレーム部５０に収納されたステープル１４がアーム部６０のドライバ６４に押されて１本だけ分離して下降し、書類束の端部に嵌入し、貫通して書類束の下面に突き出るとともに、アンビル９０によって反対方向にガイドされて屈曲され、さらに駆動押圧することにより戻って類束の裏面に当接してかしめることにより書類束を綴じる構成である。
【００２３】
ＬＥＤの点灯およびフレーム部の動作は、図２に示すように、一定量以上のステープル（綴じ針）が電動ステープラに充填されている状態では、ＬＥＤはＯＦＦとなる。すなわち、収納フレーム部５０のスライドプレート５６２が充填されているステープル（綴じ針）の分だけ後方に移動した位置にあるため、スプリング５６１は伸びている状態となる。スライドプレート５６２に接続しているシャフト５６４が後方に位置するため、シャフト５６４の後端に設けられたキャップ５６５も後方に位置し、該キャップと接合しているスイッチクランク１１０が押されてＬＥＤスイッチ１２０がＯＦＦの状態となる。基板部４０に装着された回路により、ＬＥＤスイッチ１２０は押された状態でＬＥＤ１００は消灯状態となる。
【００２４】
また、ステープル１４の残り量が減少して約２０本程度になった位置ではスライドプレート５６２も前方に移動することになる。この状態で、シャフト５６４の先端も前方に位置し、シャフト５６４の後端のキャップ５６５はスイッチクランク１１０から離れ、押圧していたスイッチクランク１１０もＬＥＤスイッチ１２０から離れることになる。ＬＥＤスイッチは押されていない状態となり、基板部４０の回路によりＬＥＤ１００に電流が流れ、点灯する構造になっている。
【００２５】
ステープルを補充する際は、補充ボタン１３０を指等で押圧することにより、補充ボタン１３０が係合部５８を押すことによりロックが解除され、収納フレーム部５０の内部フレーム５２が長手方向の前方に飛び出る構造である。また、その際に係合部５８がＬＥＤ消灯スイッチ１４０を押圧しＬＥＤ１１０の点灯を防いでいる。
【００２６】
本発明の電動ステープラ１０は、ケース本体２０のバッテリー収納部２２にバッテリーを収納し基板部４０のバッテリー接続部と接続する充電式にしたものである。基板部４０のＡＣ電源接続部４２にＡＣ電源を装着することにより充電可能であり、またＡＣ電源を差したまま動作させることも可能である。
【００２７】
図３は、ステープル（綴じ針）を補充する際に内部フレーム５２をケース本体２０内部から取り出した側面図である。図に示すように内部フレーム５２がステープル（綴じ針）を補充するためにケース本体２０から前方に飛び出した状態となる。ステープル（綴じ針）１４を内部フレームの中に脚を下に向けて跨がせた状態で挿入する。これにより簡単にステープル（綴じ針）を補充することが可能となる。
【００２８】
図４および図５は、本発明の電動ステープラの後端の側面図であり、図４は作動状態の側面図であり、図５は補充ボタン１３０を押した状態の側面図である。図４に示す通常の作動状態では、係合部５８の係止片５５が外部フレーム５４の底面に係合して収納フレーム５０が動かないようにロックがされている。図５の補充ボタン１３０を押した状態では、補充ボタン１３０が係合部５８を押すことにより係合部５８は軸５９を中心に回動するので、先端の係止片５５は収納フレーム５０の底面から下に外れてロックが解除され、収納フレーム部５０の内部フレーム５２が長手方向の前方に飛び出る構成である。
【００２９】
また、補充ボタン１３０を押してステープル（綴じ針）を補充する際に、ＬＥＤの点灯を避けるために、補充ボタン１３０が押されると係合部５８がモータ３１の後端に装備されてＬＥＤ消灯スイッチ１４０を押圧する構成である。この消灯スイッチにより、内部フレームが飛び出して開放した状態であってもＬＥＤ１００は点灯することがない。
【００３０】
【発明の効果】
以上詳述した通り、本発明に係る電動ステープラは、電動式なので自動に書類束等を綴じる事が可能であり、
１．作動スイッチを固定スイッチ部としてケース本体に固定したため壊れにくい構成となっている。また、作動バーを長手方向の前後に移動可能としたため、簡単に綴じ位置を決めることが可能となった。さらに、ステープル（綴じ針）の残量を表示するＬＥＤを搭載させたため、内部を開けなくてもて綴じ針（ステープル）の有無が外部から一目でわかるようになった。
【００３１】
２．基板部にバッテリー接続部を設置し、バッテリー収納部を設けたためバッテリー駆動が可能である。
３．基板部にＡＣ電源接続部を設置したため、バッテリーに充電することが可能であり、更にＡＣ電源駆動で電動ステープラを動作させることが可能である。
【図面の簡単な説明】
【図１】  本発明の電動ステープラの側面図
【図２】  本発明の電動ステープラの収納フレーム周辺の分解斜視図
【図３】  内部フレームを取り出した側面図
【図４】  電動ステープラの後端の側面図
【図５】  補充ボタンを押した際の後端の側面図
【符号の説明】
１０      電動ステープラ
１２      シート束（書類束）
１４      ステープル（綴じ針）
２０      ケース本体
３０      駆動部
３１      モータ
３２、３３、３４、３５、３６      ギア
３６ａ    突起
４０      基板部
４２      ＡＣ電源接続部
４４      バッテリー接続部
５０      収納フレーム部
５２      内部フレーム
５４      外部フレーム
５５      係止片
５６      ステープルガイド部
５６１    スプリング
５６２    スライドプレート
５６３    ステープラガイド
５６４    シャフト
５６５    キャップ
５８      係合部
５９      軸
６０      アーム部
６２      係合円部
６４      ドライバ
７０      作動バー
７１ 突起
７２      ペーパガイド
７４      スライドパーツ
７６      クランク
８０      固定スイッチ部
８２      作動スイッチ
８４      スライド部材
８６      スイッチベース
９０      アンビル
１００    ＬＥＤ
１１０    スイッチクランク
１２０    ＬＥＤスイッチ
１３０    補充ボタン
１４０    ＬＥＤ消灯スイッチ
【図１】
0003914967.tif 000002
【図２】
0003914967.tif 000003
【図３】
0003914967.tif 000004
【図４】
0003914967.tif 000005
【図５】
0003914967.tif 000006